(57)【特許請求の範囲】
【請求項１】
閃光発光するフラッシュ手段を有するカメラにおいて、
前記フラッシュ手段の発光回数のカウント値が所定値を超えたときに、カメラ動作を規制する動作規制手段を有し、
前記動作規制手段は、撮影レンズにズーム動作を行わせるズーム用操作部材およびリモコン操作を可能とするリモコン用操作部材のいずれかが操作されたときは、前記カウント値を減じることを特徴とするカメラ。
【発明の詳細な説明】
【０００１】
【発明の属する技術分野】
本発明は、フラッシュ手段を有するカメラに関するものである。
【０００２】
【従来の技術】
近年、フラッシュ付カメラの小型化にともない、フラッシュ発光部も小型化し、気密性も高くなっている。このためフラッシュ連続発光をしたときにフラッシュ発光部とその周辺部が発熱し、使用者に不快感を与える場合があった。
【０００３】
このため、特公平１−２２７１７号公報には、フラッシュ充電動作でカウンタを加算するとともに、タイマーによる所定時間が経過したときはカウンタ値を減算するようにし、カウンタ値が設定回数以上になったときにフラッシュ発光を停止するカメラが開示されている。
【０００４】
【発明が解決しようとする課題】
しかしながら、上記公報開示のカメラのように、充電カウンタとタイマーとを兼用する構成は複雑である。また、カメラの非使用時にもタイマー回路が作動するようにしなくてはならないため、電池の消費電流のロスがあるといった欠点がある。
【０００５】
そこで、本発明は、簡単な構成で、フラッシュ発光部およびその周辺部の過熱を防止できるようにしたカメラを提供することを目的としている。
【０００８】
本発明では、閃光発光するフラッシュ手段を有するカメラにおいて、フラッシュ手段の発光回数のカウント値が所定値を超えたときに、カメラ動作を規制する動作規制手段を有し、この動作規制手段は、撮影レンズにズーム動作を行わせるズーム用操作部材およびリモコン操作を可能とするリモコン用操作部材のいずれかが操作されたときは、前記カウント値を減じている。
【００１０】
【発明の実施の形態】
（第１実施形態）
図１には、本発明の第１実施形態のカメラの電気回路を示している。この図において、１は電源であるところの電池、２は電池１に接続されて負荷への電源供給を制限するスイッチ、３は電池１の電圧を昇圧するための昇圧回路である。
【００１１】
３１はＰＮＰトランジスタで、エミッタがスイッチ２を介して電池１に接続される発振トランジスタである。
【００１２】
３２はＮ−チャンネル電界効果トランジスタ（以下、ＦＥＴと略す）で、ドレインにＰＮＰトランジスタ３１のベースが接続されてＰＮＰトランジスタ３１の発振開始を制御する。なお、ＦＥＴ３２のゲートは、後述のワンチップマイクロコンピュータ１７に接続されている。
【００１３】
３４はダイオードで、カソードはＦＥＴ３２のソースに接続され、アノードは接地されている。
【００１４】
３６は発振昇圧のためのトランスで、一次巻線３６ａにはＰＮＰトランジスタ３１のコレクタが接続されている。また、帰還巻線３６ｂの一端にはＦＥＴ３２のソースが接続され、他端には後述の抵抗３７が接続されている。さらに、二次巻線３６ｃには後述のダイオード４のアノードが接続されている。
【００１５】
３７は抵抗で、一端は発振トランス３６の帰還巻線３６ｂに接続され、他端はアースされている。
【００１６】
３８は抵抗３７の両端に接続されるコンデンサ、３９は発振トランス３６の二次巻線３６ｃに接続されるコンデンサである。これらトランジスタ３１，３２、ダイオード３４、トランス３６、抵抗３７およびコンデンサ３８，３９により昇圧回路３が構成されている。
【００１７】
４は高圧整流用ダイオードで、アノードは発振トランス３６の二次巻線３６ｃが接続され、カソードは後述の電圧検知回路５に接続されている。
【００１８】
５は電圧検知回路で、後述する主コンデンサ６の電圧を検出し、ワンチップマイクロコンピュータ１７に充電電圧（実際の電圧に比例する分圧電圧）信号を送る。
【００１９】
５１はコンデンサ、５２，５３は主コンデンサ６の充電電圧を分圧する抵抗である。抵抗５２はダイオード４のカソードとコンデンサ５１に接続され、抵抗５３の一端は抵抗５２に接続され、抵抗５３の他端は接地されている。
【００２０】
主コンデンサ６の電圧を分圧した信号はＳＥＮ信号としてワンチップマイクロコンピュータ１７に入力され、このコンピュータ１７内のＡ／Ｄ変換器に送られる。
【００２１】
５４はコンデンサで、抵抗５３の両端に接続されている。これらコンデンサ５１，５４および抵抗５２，５３により電圧検知回路５が構成されている。
【００２２】
２９はダイオードで、アノードに電圧検知回路５が接続され、カソードに後述の主コンデンサ６が接続されている。
【００２３】
主コンデンサ６は、フラッシュ発光に必要なエネルギーを充電する。７は抵抗で、主コンデンサ６の正極に接続されている。８は抵抗７に接続されるトリガ用コンデンサである。
【００２４】
９は発光開始のためのスイッチングを行う発光サイリスタで、アノードには抵抗７とコンデンサ８の一端とが接続され、カソードはアースされている。
【００２５】
１０は抵抗である。１１はコンデンサで、抵抗１０とともにサイリスタ９のゲート−カソード間に接続されている。
【００２６】
１２は抵抗で、一端はサイリスタ９のゲートに接続され、他端はワンチップマイコン１７に接続されている。発光開始信号としてワンチップマイクロコンピュータ１７よりＴＲＧ１信号がパルス出力されると、サイリスタ９のゲートがオンになり、トリガがかかる。
【００２７】
１３はトリガトランスで、一次巻線にはトリガコンデンサ８の他端が接続され、二次巻線には閃光放電管１４が接続されている。閃光放電管１４は上記トリガによりフラッシュ発光し、陽極には主コンデンサ６の正極と抵抗７の一端とが接続され、陰極には後述のダイオード２８のアノードが接続されている。
【００２８】
電池１を昇圧回路３で昇圧し、抵抗７を介してトリガコンデンサ８に充電し、ＴＲＧ１信号でサイリスタ９をオンしてトリガコンデンサ８を放電させると、トリガトランス１３の一次巻線にパルスが発生するとともに、二次巻線に高圧パルスが発生し、閃光放電管１４に発光トリガがかかる。
【００２９】
２６はコンデンサで、一端は抵抗７の一端とサイリスタ９のアノードとに接続されている。２７は抵抗で、一端はコンデンサ２６の他端に接続され、他端は閃光放電管１４の陰極に接続されている。
【００３０】
２８はダイオードで、アノードは閃光放電管１４の陰極に接続され、カソードはアース接続されている。なお、コンデンサ２６も抵抗２７およびダイオード２８により倍圧回路が構成されている。
【００３１】
１５は定電圧回路で、電池１の電圧が変化しても一定の電圧（Ｖｃｃ）を出力する回路である。１６はカメラの制御を行うためのスイッチ制御回路である。
【００３２】
【発明が解決しようとする課題】
ワンチップマイクロコンピュータ（以下、マイコンという）１７は、ＣＰＵ１７１やＲＯＭ、ＲＡＭと、入出力制御（Ｉ／Ｏ ＣＯＮＴＲＯＬ）回路１７２と、Ａ／Ｄコンバータ（Ａ／Ｄ変換器）１７３と、マルチプレクサ１７４と、タイマ回路等とを含むマイコン内蔵ワンチップＩＣ回路からなる。このマイコン１７は、カメラシステムのコントロールをソフトウエアに従って行う。マイコン１７には、電源として定電圧出力Ｖｃｃが接続され、またスイッチ２がオンすると電池１（Ｖｂａｔ）が接続されている。
【００３３】
１８は自動焦点検出（オートフォーカス：ＡＦ）回路で、被写体のピントを合わせるために自動的に焦点検出を行い、不図示の撮影レンズを駆動する。このＡＦ回路１８には、マイコン１７から焦点検出に必要な信号（ＡＦＣ信号）が送られ、ＡＦ回路１８からは焦点検出に必要な信号（ＡＦＤ信号）が送信される。
【００３４】
１９は自動露出（ＡＥ）回路で、被写体の輝度を測光する。このＡＥ回路１９には、適正な露出を決める（シャッタ速度、絞り）ため、測光動作を決める信号（ＡＥＣ信号）がマイコン１７から送られ、ＡＥ回路１９は露出に必要なデータ（ＡＥＤ信号）をマイコン１７に送信する。
【００３５】
２０はＬＣＤやＬＥＤ等からなる表示回路で、カメラ動作制御に関する情報（シャッタ速度、絞り、充電完了、フィルム感度、リモコンモード、セルフタイマ等の各種情報）を表示する。
【００３６】
２１はシャッタ回路で、マイコン１７からの制御信号によってシャッタ動作を行う（シンクロスイッチ含む）。
【００３７】
２２は絞り制御回路で、マイコン１７からの制御信号によってレンズの絞りを制御する。
【００３８】
２３１はサイリスタで、アノードは主コンデンサ６の正極に接続され、カソードは接地されている。
【００３９】
２３２はコンデンサで、サイリスタ２３１のゲート−カソード間に接続されている。２３３は抵抗で、サイリスタ２３１のゲートカソード間に接続されている。２３４は抵抗で、サイリスタ２３１のゲートとマイコン１７間に接続されている。なお、これらサイリスタ２３１、コンデンサ２３２および抵抗２３３，２３４により発光停止回路２３が構成されている。
【００４０】
３０は測光回路である。４００はフィルム感度検知回路であり、フィルムのＤＸ接点を検知してフィルム感度を自動的に検知し、マイコン１７にフィルム感度情報（ＩＳＯ信号）を送る。
【００４１】
７００は昇圧回路３の電源電流制限のためのコンパレータで、電源電圧がマイコン１７より設定される電源電圧遮断レベル（Ｖｒｅｆ１電圧）以下になると昇圧回路３の制御信号ＯＳＣを遮断する。
【００４２】
７０１はＮＰＮトランジスタで、昇圧回路３の制御信号ＯＳＣを遮断するためトランジスタである。ＮＰＮトランジスタ７０１のベースは抵抗７０２を介してコンパレータ７００に接続されている。
【００４３】
以上のように構成された電気回路においては、まず一定の電源電圧以下にならないようにマイコン１７によりＶｒｅｆ１電圧が決定される。
【００４４】
次に、昇圧動作を開始するためにマイコン１７は発振開始信号ＯＳＣ信号を“ローレベル（以下、ＬＬという）”から“ハイレベル（以下、ＨＬという）”にする。これによりダイオード３４を介してＦＥＴ３２がオンし、これに伴ってＰＮＰトランジスタ３１もオンし、発振トランス３６ａに電池１からの電源が供給されて発振がスタートする。
【００４５】
発振がスタートすると、発振トランス３６ｃの２次側に高圧電圧が発生し、ＰＮＰトランジスタ３１のエミッタ、ベースおよびＦＥＴ３２のドレイン、ソースを介して発振トランス３６ｃの２次側に電流が流れ、ダイオード４，２９を介して主コンデンサ６への充電が行われる。
【００４６】
このとき、ＰＮＰトランジスタ３１のオンにより電池電源１の電圧が急激に低下する。しかし、コンパレータ７００の入力としてＶｒｅｆ１電圧以下まで電源電圧１の電圧が下がると、コンパレータ７００が“ＬＬ”から“ＨＬ”に反転し、抵抗７０２を介してＮＰＮトランジスタ７０１のベースがオンになり、マイコン１７の充電制御信号ＯＳＣの出力を下げてＦＥＴ３２がオフになるので、ＰＮＰトランジスタ３１がオフになり、発振トランス３６ａへの電池１からの電源供給が止まって発振が止まる。
【００４７】
発振が止まることで電池１の電圧の低下は止まり、電圧が復帰してくる。電池１の電圧が復帰してコンパレータ７００の入力としてＶｒｅｆ１電圧を越えると、コンパレータ７００が“ＨＬ”から“ＬＬ”に反転し、抵抗７０２を介してＮＰＮトランジスタ７０１のベースがオフになり、マイコン１７の充電制御信号ＯＳＣの出力が“ＨＬ”になる。このため、ＮＰＮトランジスタ３２がオンになり、ＰＮＰトランジスタ３１がオンになって発振トランス３６ａへの電池１からの電源供給がなされ発振する。
【００４８】
以上の動作が繰り返されることにより、電源電圧は一定電圧以下に低下することはない。
【００４９】
５００はフラッシュズーム回路で、マイコン１７に接続されている。６００はデート写し込み回路でマイコン１７に接続されている。８００はＥＥＰＲＯＭ（電気的消去可能プログラム書き込み可能ＲＯＭ）で、マイコン１７に接続されている。マイコン１７は、ＥＥＰＲＯＭ８００にカメラ動作制御に必要な設定情報を書き込む。なお、このＥＥＰＲＯＭ８００に、後述の発光回数の設定値を書き込み、設定変更ができるようにしてもよい。
【００５０】
スイッチ回路１６は、メイン（電源）ＳＷ，フィルム装填検知ＳＷ，ズームＳＷ，リモコンＳＷ，ストロボＳＷの検知回路等を含む。
【００５１】
９００は、レンズ焦点距離を可変するためのズーム回路で、スイッチ回路１６の中の１つであるズームＳＷを押すことによりレンズを駆動する。ズームＳＷはレンズをテレ側に移動させるズームＴｅｌｅＳＷと、ワイド側に移動させるズームＷｉｄｅＳＷを有し、各ＳＷのオンにより撮影レンズが移動する。
【００５２】
次に、図２〜図１０に示すフローチャートに基づいて上記カメラ（特に、動作規制手段としてのマイコン１７）の動作を説明する。まず電源スイッチ２がオンすると、昇圧回路３に電池１が接続され、また定電圧回路１５が起動する。これにより、定電圧回路１５に定電圧Ｖｃｃが発生し、マイコン１７や各回路ブロックに定電圧が供給される。
【００５３】
マイコン１７に電源が入力されると、図２および図３に示すメインルーチンにおけるステップ（図では、Ｓと略す）１にて、マイコン１７内のＣＰＵ１７１のリセット（初期設定）が行われる。具体的には、プログラムのフラグ（ＦＡＬフラグ、ＦＯＮフラグ、ＦＯＦＦフラグ、Ｈカウンタフラグ、ｒｅｍＳＷフラグ、ｒｅｍＭフラグ等）をクリアしたり、メモリの内容をリセットしたりする。また、閃光発光管１４の発光回数を示すＨカウンタのリセットも行う。
【００５４】
次に、ステップ２において、スイッチ回路１６によりカメラの制御のためのスイッチ（シャッタ、絞り、フラッシュモード切換えのためのストロボ動作ＳＷ、フィルム装填検知ＳＷ、ズーム動作ＳＷ、リモコン設定ＳＷ、フィルム感度切換えＳＷ、レリーズＳＷ等）の状態を検知し、マイコン１７に信号伝達する。またフィルムが装填されるのが確認されたときは、フィルム感度検知回路４００により自動的にフィルム感度を読み取る。
【００５５】
次に、ステップ３において、レリーズスイッチの半押しによりスイッチＳ１がオンすると、測光や焦点検出等の撮影準備動作を行わせるとともに、ステップ４に進む。
【００５６】
ステップ４では、電池１の電圧（バッテリ電圧）をマイコン１７で検知する。例えば、マイコン１７内のＡ／Ｄ変換器でバッテリレベルをアナログ値からデジタル値に変換してメモリしておく。そして検知したバッテリ電圧をマイコン１７で電圧判別を行い、任意のレベル（例えば、カメラ最低動作電圧）以下であると判断したとき（ＮＧ）はステップ２に戻り、任意の電圧より大きいと判断したとき（ＯＫ）はステップ６に進む。
【００５７】
ステップ６では、マイコン１７からＡＦ回路１８に焦点検出に必要な信号（ＡＦＣ信号）が送られ、ＡＦ回路１８からは焦点検出に必要な信号（ＡＦＤ信号）がマイコン１７に送られる。これにより、自動的に焦点検出が行われ、撮影レンズを駆動して被写体にピントを合わせる。
【００５８】
また、次のステップ７では、マイコン１７からＡＥ回路１９に測光動作を決める信号（ＡＦＣ信号）が送られる。ＡＥ回路１９は被写体の輝度を測光し、露出に必要なデータ（ＡＥＤ信号）をマイコン１７に送る。マイコン１７は適正な露出（シャッタ速度、絞り）を演算する。
【００５９】
次に、ステップ８では、後述するステップ２３でのストロボＳＷ動作で強制フラッシュオフが設定されたことを示すＦＯＦＦフラグの判定を行い、設定されているとき（ＦＯＦＦフラグ＝１のとき）はステップ１３に進み、設定されていないとき（ＦＯＦＦフラグ＝０のとき）はステップ９に進む。
【００６０】
ステップ９では、ステップＳ２３のストロボＳＷ動作で強制フラッシュオンが設定されたことを示すＦＯＮフラグの判定を行い、設定されているとき（ＦＯＮフラグ＝１のとき）はステップ１１に進み、設定されていないとき（ＦＯＮフラグ＝０のとき）はステップ１０に進む。
【００６１】
次に、ステップ１０では、被写体輝度が予め任意に設定された輝度以下（低輝度）であるか否かを判別し、上記輝度以下であるとき、フラッシュ必要としてステップ１１に進み、上記輝度より高いときはフラッシュ不要としてステップ１３に進む。
【００６２】
ステップ１１では、フラッシュの充電シーケンス（フラッシュモード）を実行する。このシーケンスについては、後述する。
【００６３】
フラッシュモードを実行後、ステップ１２では、充電が完了したか否かを判断し、完了したときはマイコン１７は充電完了のラッチ動作を行い、表示回路２０に充電完了を示す表示を行い、ステップ１３に進む。充電が完了していないときはステップ２に戻る。
【００６４】
ステップ１３では、レリーズスイッチの全押しによりスイッチＳ２がオンしているか否かの判別を行い、オフのときはステップ２に戻り、オンのときは図３に示すステップ１４に進む。
【００６５】
ステップ１４では、レンズのリセット位置（初期位置）から、ＡＦ回路１８による焦点検出データに基づいたレンズ移動量だけレンズを動かして合焦させる。
そして、ステップ１５で、シャッタ絞り制御およびフィルム発光が必要であるときはフラッシュ発光制御を行って露光を行う。なお、このシーケンスについては後述する。続いて、ステップ１６では、レンズをリセット位置に戻す。さらに、ステップ１７で、フィルムの１駒巻き上げ動作を行う。
【００６６】
次に、ステップ１８において、後述するフラッシュモードにて立てられたフラッシュ（ＦＡＬ）フラグが１か０か（フラッシュが必要か不要か）を判別し、ＦＡＬ＝１であるとき（フラッシュ必要のとき）はステップ１９に進み、ＦＡＬ＝０のとき（フラッシュ不要のとき）はステップ２に戻る。
【００６７】
ステップ１９では、ステップ１１と同様にフラッシュ充電（フラッシュモード）のシーケンスを実行する。
【００６８】
次に、図４のフローチャートを用いて上記ステップ１１，１９で実行されるフラッシュ充電（フラッシュモード）シーケンスについて説明する。
【００６９】
まず、ステップ１１０１にて、フラッシュが必要であることを示すフラッシュフラグＦＡＬに１を立てる。
【００７０】
次に、ステップ１１０２にて、分圧抵抗５２，５３による主コンデンサ６の電圧の分圧電圧（コンデンサ５１，５４は安定検出用コンデンサ）の検知回路５からの信号を、マイコン１７内のＣＰＵ１７１の命令により内部のＡ／Ｄコンバータ１７３と、マルチプレクサ１７４とにつなぎ、主コンデンサ６の充電電圧をアナログ値からデジタル値（電圧に対応する値）に変換してＣＰＵ１７１に記憶する。
【００７１】
このとき、測定した充電電圧のレベルが、予め設定された閃光放電管１４の発光可能電圧であって撮影可能なフラッシュ充電レベルに達したか否か（充電完了か否か）を判別し、充電完了のときはステップ１１０３に進み、充電未完であるときはステップ１１０５に進む。
【００７２】
ステップ１１０３では、昇圧動作を停止させるために、マイコン１７は発振開始信号ＯＳＣ信号を“ＨＬ”から“ＬＬ”にする。これによりＦＥＴ３２がオフし、これに伴ってＰＮＰトランジスタ３１もオフして発振トランス３ａへの電池１からの電源供給が遮断され、発振が停止する。続いて、ステップ１１０４にて表示回路２０に充電完了の表示を行い、メインルーチンのステップ１２又はステップ２に戻る。
【００７３】
一方、ステップ１１０５では、昇圧動作を開始させるために、マイコン１７は発振開始信号ＯＳＣ信号を“ＬＬ”から“ＨＬ”にする。これによりＦＥＴ３２がオンし、これに伴ってＰＮＰトランジスタ３１もオンして発振トランス３６ａに電池１からの電源供給がなされ発振がスタートする。発振がスタートすると、発振トランス３６ｃの２次側に高圧電圧が発生し、ダイオード４，２９を介して主コンデンサ６への充電が行われる。そして、再度ステップ１１０２にて充電が完了したかどうかの判別を行う。
【００７４】
次に、図５および図６を用いてステップ１５にて実行されるシャッタ・絞り制御シーケンスについて説明する。
【００７５】
また、ステップ１５０１では、ステップ７にて測光データにより決められたシャッタ・絞り値にするためのシャッタ回路２１および絞り回路２２の動作を開始する。
【００７６】
次に、ステップ１５０２にて、フラッシュフラグ（ＦＡＬ）が１か否かを判別し、ＦＡＬ＝１（フラッシュ必要）のときはステップ１５０３に進み、ＦＡＬ＝０（フラッシュ不要）のときはステップ１５０７−２に進む。
【００７７】
ステップ１５０３では、マイコン１７がＴＲＧ信号をパルス出力する。
【００７８】
さらに、ステップ１５０４では、昇圧回路３の動作により抵抗７を介してコンデンサ８とコンデンサ２６に充電電流を流してこれらをチャージする。また、主コンデンサ６が充電されており、閃光放電管１４に高圧がかかっているときに、ＴＲＧ信号がパルス出力されると、抵抗１２を介してサイリスタ９のゲートがオンになり、コンデンサ８およびコンデンサ２６の一端が接地されて放電し、閃光放電管１４の両端に主コンデンサ６の端子電圧とコンデンサ２６の端子電圧の和の電圧がかかる。そしてコンデンサ８の放電によりトランス１３の１次側にパルスが発生し、これにより２次側に高圧パルスが発生して閃光放電管１４にトリガがかかり発光する。
【００７９】
次に、ステップ１５０５にて、主コンデンサ６の充電レベルが適正光量に相当するか否かを判断し、適正露光量に相当する発光量だけ発光すると、発光を停止する。
【００８０】
そして、ステップ１５０７にて、ステップ７での測光データおよび発光量・露出演算により決められたシャッタ・絞り値にするために、シャッタ回路２１および絞り回路２２の動作を停止させる。なお、ステップ１５０７−２の動作は、Ｓ１５０７と同じである。
【００８１】
次に、ステップ１５０８にて、閃光放電管１４が何回発光したかをカウントするマイコン１７の内部カウンタ（Ｈカウンタ）を１つ加算する。そして、ステップ１５０９では、Ｈカウンタ値が予めカメラの過熱を防止するのに適当な値として設定された発光回数（Ｘ回）に到達したか否かを判別し、Ｘ回以下のときはステップ１６に戻り、Ｘ回を超えたときは図６に示すステップ１５１１に進む。
【００８２】
なお、設定回数Ｘについては、マイコン１７内のＲＯＭに書き込んでもよいし、外部のＥＥＰＲＯＭ８００にデータを書きこむことによって設定を変えられるようにしてもよい。
【００８３】
ステップ１５１１では、カメラ動作を規制すべき旨を表示回路２０に表示して使用者に警告する。次に、ステップ１５１２にて、スイッチ回路１６の１つであるメインＳＷが動作されたこと（ＯＮ→ＯＦＦ→ＯＮ）を検知したときは、ステップ１に戻り、検知しないときはステップ１５１１に戻って、カメラ動作を規制すべき旨の表示を保持する。
【００８４】
なおこのステップ１５１１では、カメラ動作を規制すべき旨が使用者に分かればよいので、表示回路２０の表示をすべて消すようにしてもよい。
【００８５】
次に、図７を用いてステップ２０にて実行されるズームスイッチ検知シーケンスについて説明する。
【００８６】
まず、ステップ２００１では、スイッチ回路１６の中の１つである焦点距離を可変するためのズームスイッチのうちズームＴｅｌｅＳＷがオンされたかどうかを判断し、押されたときはステップ２００２に進み、押されていなければステップ２００４に進む。
【００８７】
ステップ２００２では、マイコン１７からズーム回路９００にテレ側の焦点距離に移動させるよう信号を送り、レンズをテレ方向にズーム駆動させる。
【００８８】
次に、ステップ２００３にて、Ｈカウンタをリセット又はカウンタ値を予め設定した回数分減算する。そして、ステップ２００４に進む。
【００８９】
ステップ２００４では、スイッチ１６の中の１つであるズームｗｉｄｅＳＷが押されたかどうかを判断し、押されたときはステップ２００５に進み、押されていなければステップ２に戻って他のスイッチ状態の検出を行う。
【００９０】
ステップ２００５では、マイコン１７からズーム回路９００にワイド側の焦点距離に移動させるように信号を送り、レンズをワイド側にズーム駆動させる。
【００９１】
次に、ステップ２００６では、Ｈカウンタをリセット又はカウンタ値を予め設定した回数分減算する。そして、ステップＳ２に戻り、他のスイッチ状態の検出を行う。
【００９２】
次に、図８を用いて、ステップ２１にて実行されるフィルム装填検知シーケンスについて説明する。
【００９３】
ステップ１２０１では、スイッチ回路１６の中の１つであるフィルムが装填されたことを確認するためのスイッチがオンか否かを確認し、オンのとき（フィルム装填状態のとき）はステップ２１０２に進み、オフのとき（フィルム未装填状態のとき）はステップ２に戻って他のスイッチ状態の検出を行う。
【００９４】
ステップ２１０２では、Ｈカウンタをリセットする。これにより、フィルムが装填された状態では、Ｈカウンタのリセットが継続され、閃光放電管１４が発光してもＨカウンタ値を加算しない。逆に言えば、フィルムが未装填の状態でのみＨカウンタ値を加算する。
【００９５】
ここで、フィルム未装填状態でのみＨカウンタ値を加算するのは、図１１に示すように、フィルム装填状態ではフィルム給送およびフィルム交換等が行われるために図中のＢカーブのようにカメラの温度は急上昇しないが、フィルム未装填状態では図中のＡカーブのように電池１が消耗するまで温度上昇するためである。
【００９６】
但し、フィルム装填、未装填にかかわらず、Ｈカウンタ値を加算するようにしてもよい。
【００９７】
そして、Ｈカウンタのリセット後は、ステップ２に戻って他のスイッチ状態の検出を行う。
【００９８】
次に、図９を用いてステップ２２にて実行されるリモコンスイッチ検知シーケンスについて説明する。
【００９９】
ステップ２２０１では、スイッチ回路１６の中の１つであるリモコン操作を可能とするためのスイッチがオンか否かを確認し、オンのとき（リモコン操作可能のとき）はステップ２２０３に進み、オフのとき（リモコン操作不能のとき）はステップ２２０２に進む。
【０１００】
ステップ２２０１では、リコモンフラグｒｅｍＳＷに０を立て、ステップ２に戻って他のスイッチ状態の検出を行う。
【０１０１】
一方、ステップ２２０３では、Ｈカウンタをリセット又は予め設定された回数分Ｈカウンタ値を減算し、ステップ２２０４に進む。
【０１０２】
ステップ２２０４では、リモコンフラグｒｅｍＳＷに１を立てる。次にステップ２２０５では、リモコンモードがｍｏｄｅ１かｍｏｄｅ２かの判別を行う。リモコンｍｏｄｅ１は、リモコン送信器（不図示）がオンしたときに即レリーズするモードであり、リモコンｍｏｄｅ２はリモコン送信器がオンしてから数秒後にレリーズするモードである。
【０１０３】
リモコンモードがｍｏｄｅ１のときは、ステップ２２０６に進み、リモコンモード１にするためリモコンモードフラグｒｅｍＭに０を立てる。そしてステップ２に戻り、他のスイッチ状態の検出を行う。
【０１０４】
一方、リモコンモードｍｏｄｅ２のときは、リモコンモードフラグｒｅｍＭに１を立てて、ステップ２に戻り、他のスイッチ状態の検出を行う。
【０１０５】
次に、図１０を用いてステップ２３にて実行されるストロボモードＳＷ検知シーケンスについて説明する。
【０１０６】
まずステップ２３０１では、ストロボフラグＦＡＬに０を立てる。次に、ステップ２３０２では、スイッチ回路１６の中の１つである、ストロボモードをフラッシュ強制ＯＮモード、フラッシュ強制ＯＦＦモード又はオートモードに変更するスイッチがオンか否かを確認し、オンのとき（フラッシュ強制モード又はフラッシュ禁止モードが設定されているとき）はステップ２３０３に進み、オフのとき（暗中で自動発光するオートモードが設定されているとき）はステップ２に戻って他のスイッチ状態の検出を行う。
【０１０７】
ステップ２３０３では、Ｈカウンタをリセット又は予め設定された回数分Ｈカウンタ値を減算して、ステップ２３０４に進む。
【０１０８】
ステップ２３０４では、フラッシュ強制ＯＦＦモードか否かを判別し、このモードのときはステップ２３０９に進み、このモードでないときはステップ２３０５に進む。
【０１０９】
ステップ２３０９では、フラッシュ強制ＯＦＦモードにするためにフラグＦＯＦＦに１を立て、ステップ２へ戻る。
【０１１０】
一方、ステップ２３０５では、フラッシュ強制ＯＦＦモードではないのでフラグＦＯＦＦに０を立てる。そして、ステップ２３０６に進み、フラッシュ強制ＯＮモードか否かを判別する。このモードのときはステップ２３０８に進み、このモードでないときはステップ２３０７に進む。
【０１１１】
ステップ２３０８では、フラッシュ強制ＯＮモードにするためにフラグＦＯＮに１を立てて、ステップ２に戻る。
【０１１２】
一方、ステップ２３０７では、フラッシュ強制ＯＮではないのでフラグＦＯＮに０を立てて、ステップ２に戻り、他のスイッチ状態の検出を行う。
【０１１３】
なお、スイッチのオン検知によるＨカウンタのリセット又は減算を、ここであげたスイッチ以外のスイッチのオン検知でも同様に行うようにしてもよい。
【０１１４】
また、予め設定するカウンタ値や減算するカウンタ数については、マイコン１７内のＲＯＭで設定してもよいし、外部のＥＥＰＲＯＭに書きこんでもよい。
【０１１５】
（第２実施形態）
図１２には、本発明の第２実施形態であるカメラのシャッタ絞り制御シーケンスの後段部分を示している。なお、この図のシーケンスは、第１実施形態の図６にて説明したシャッタ絞り制御シーケンスの後段部分に代わるものである。また、本実施形態における他のシーケンスについては、第１実施形態と同じである。本実施形態では、図６に示すステップ１５１１の前に、ステップ１５０９にてＨカウンタ値がＸ回を超えたと判断されたときにレンズを沈胴位置（格納位置）に移動させて不図示のレンズバリアを閉じるステップ１５１０を挿入している。
【０１１６】
本実施形態によれば、撮影規制時にレンズを沈胴位置に移動させ、レンズバリアを閉じることで、使用者により明確にカメラ動作が規制されていることを認識させることができる。
【０１１９】
本発明によれば、フラッシュ発光回数が所定回数を超えたときにはカメラ動作を規制するとともに、ズーム用操作部材やリモコン用操作部材が操作されたとき、すなわちフラッシュ発光の間にある程度の時間が経過してカメラの温度の低下が期待できる場合には、発光回数のカウント値を減じれば、不用意にカメラ動作が規制されてしまうのを防止しつつ、カメラの過熱を確実に防止することができる。
【図面の簡単な説明】
【図１】本発明の第１実施形態であるカメラの電気回路ブロック図である。
【図２】上記カメラの動作フローチャートである。
【図３】上記カメラの動作フローチャートである。
【図４】上記カメラの動作フローチャートである。
【図５】上記カメラの動作フローチャートである。
【図６】上記カメラの動作フローチャートである。
【図７】上記カメラの動作フローチャートである。
【図８】上記カメラの動作フローチャートである。
【図９】上記カメラの動作フローチャートである。
【図１０】上記カメラの動作フローチャートである。
【図１１】上記カメラのフィルム装填の有無による温度上昇の違いを示すグラフである。
【図１２】本発明の第２実施形態のカメラの動作フローチャートである。
【符号の説明】
１…電池
２…電源スイッチ
３…昇圧回路
５…電圧検知回路
６…主コンデンサ
１６…スイッチ回路
１７…ワンチップマイコン
２０…表示回路
２１…シャッタ回路
２２…絞り回路
９００…ズーム回路
８００…ＥＥＰＲＯＭ
【図１】
0003957853.tif 000002
【図２】
0003957853.tif 000003
【図３】
0003957853.tif 000004
【図４】
0003957853.tif 000005
【図５】
0003957853.tif 000006
【図６】
0003957853.tif 000007
【図７】
0003957853.tif 000008
【図８】
0003957853.tif 000009
【図９】
0003957853.tif 000010
【図１０】
0003957853.tif 000011
【図１１】
0003957853.tif 000012
【図１２】
0003957853.tif 000013